(57)【要約】【課題】原稿の両面読み取りにおいて読み取った原稿表面の画像データ及び原稿裏面の画像データを一組の伝送ラインによって順次的に伝送することを可能とし、信号線を削減することを可能とし、原稿読み取りの生産性を向上させることを可能とする。【解決手段】リーダ部Ｕ１００の伝送タイミング制御部２０９では、画像同期信号を表面画像データ及び裏面画像データ一組で１回出力する。表面画像データは画像同期信号に同期して出力し、裏面画像データは画像バッファ２１０に一時格納し、表面画像データの出力後に所定の主走査同期信号分遅延して、表面画像データの後に裏面画像データをつなぎ合わされて出力する。画像コントローラ部Ｕ１０２では、通知された画像データ長により、表面画像データと裏面画像データを切り分ける。【選択図】      図２
2004357032.tif 000002
【特許請求の範囲】
【請求項１】
原稿を搬送しながら原稿画像を読み取る流し読み機能を備えた画像読取装置であって、
前記流し読み機能により原稿の両面を読み取る場合、原稿表面の画像データの伝送後に原稿裏面の画像データを結合することにより、１回のタイミング信号生成によって原稿両面の画像データを伝送する制御を行う制御手段を有することを特徴とする画像読取装置。
【請求項２】
原稿表面の読み取りを行う第１の原稿読取手段と、原稿裏面の読み取りを行う第２の原稿読取手段と、原稿表面の画像データの先頭を示す前記タイミング信号を生成すると共に前記第１の原稿読取手段からの原稿表面の画像データと前記第２の原稿読取手段からの原稿裏面の画像データを選択的に出力するタイミング制御手段とを有することを特徴とする請求項１記載の画像読取装置。
【請求項３】
前記タイミング制御手段は、前記原稿表面の画像データの伝送終了まで前記原稿裏面の画像データを一時保管する画像保管手段を有することを特徴とする請求項２記載の画像読取装置。
【請求項４】
前記画像読取装置は、画像データの伝送が終了するまで、次の原稿の読み取り動作を行わないことを特徴とする請求項１記載の画像読取装置。
【請求項５】
原稿を搬送しながら原稿画像を読み取る流し読み機能を備えた画像読取装置であって、
前記流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロック速度によって前記原稿両面の画像データを伝送する制御を行う制御手段を有することを特徴とする画像読取装置。
【請求項６】
原稿表面の読み取りを行う第１の原稿読取手段と、原稿裏面の読み取りを行う第２の原稿読取手段と、原稿表面の画像データの先頭を示す前記タイミング信号を生成すると共に前記第１の原稿読取手段からの原稿表面の画像データと前記第２の原稿読取手段からの原稿裏面の画像データを選択的に出力するタイミング制御手段と、片面原稿読み取り時のデータ伝送を行うための第１のクロック速度と、前記両面原稿読み取り時のデータ伝送を行うための第２のクロック速度を切り替えるクロック切替手段とを有することを特徴とする請求項５記載の画像読取装置。
【請求項７】
前記タイミング制御手段は、前記原稿表面の画像データを一時保管する第１の画像保管手段と、前記原稿裏面の画像データを一時保管する第２の画像保管手段とを有することを特徴とする請求項６記載の画像読取装置。
【請求項８】
前記制御手段は、前記クロック切替手段を制御することによって、前記片面原稿読み取り時には前記第１のクロック速度によって前記第１又は第２の原稿読取手段からの画像データを伝送し、前記両面原稿読み取り時には前記第２のクロック速度によって前記第１及び第２の原稿読取手段からの画像データを伝送することを特徴とする請求項５又は６記載の画像読取装置。
【請求項９】
前記第２のクロック速度は、前記第１のクロック速度の２倍以上の速度であることを特徴とする請求項６記載の画像読取装置。
【請求項１０】
原稿を搬送しながら原稿画像を読み取る流し読み機能を備えた画像読取装置であって、
前記流し読み機能により原稿の両面を読み取る場合、原稿表面の画像データ及び原稿裏面の画像データを変倍して画像データを削減すると共に、前記変倍した原稿表面の画像データの伝送後に前記変倍した原稿裏面の画像データを結合することにより、１回のタイミング信号生成によって原稿両面の画像データを伝送する制御を行う制御手段を有することを特徴とする画像読取装置。
【請求項１１】
原稿表面の読み取りを行う第１の原稿読取手段と、原稿裏面の読み取りを行う第２の原稿読取手段と、原稿表面の画像データの先頭を示す前記タイミング信号を生成すると共に前記第１の原稿読取手段からの原稿表面の画像データと前記第２の原稿読取手段からの原稿裏面の画像データを選択的に出力するタイミング制御手段とを有することを特徴とする請求項１０記載の画像読取装置。
【請求項１２】
前記タイミング制御手段は、前記原稿表面の画像データを一時保管する第１の画像保管手段と、前記原稿裏面の画像データを一時保管する第２の画像保管手段とを有することを特徴とする請求項１１記載の画像読取装置。
【請求項１３】
前記制御手段による変倍制御は、主走査方向の画像データを１画素ごとに間引く制御であることを特徴とする請求項１０記載の画像読取装置。
【請求項１４】
前記制御手段による変倍制御は、副走査方向の画像データを１ラインごとに間引く制御であることを特徴とする請求項１０記載の画像読取装置。
【請求項１５】
前記制御手段による変倍制御は、主走査方向の画像データに対し、２画素分の画像データを加算平均によって１画素の画像データに変換する制御であることを特徴とする請求項１０記載の画像読取装置。
【請求項１６】
前記制御手段による変倍制御は、副走査方向の画像データに対し、２ライン分の画像データを加算平均によって１ラインの画像データに変換する制御であることを特徴とする請求項１０記載の画像読取装置。
【請求項１７】
前記請求項１乃至１６の何れかに記載の画像読取装置を備えたことを特徴とする画像形成装置。
【請求項１８】
原稿を搬送しながら原稿画像を読み取る流し読み機能を備えた画像読取装置における画像伝送制御方法であって、
前記流し読み機能により原稿の両面を読み取る場合、原稿表面の画像データの伝送後に原稿裏面の画像データを結合することにより、１回のタイミング信号生成によって原稿両面の画像データを伝送することを特徴とする画像伝送制御方法。
【請求項１９】
原稿を搬送しながら原稿画像を読み取る流し読み機能を備えた画像読取装置における画像伝送制御方法であって、
前記流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロック速度によって前記原稿両面の画像データを伝送することを特徴とする画像伝送制御方法。
【請求項２０】
原稿を搬送しながら原稿画像を読み取る流し読み機能を備えた画像読取装置における画像伝送制御方法であって、
前記流し読み機能により原稿の両面を読み取る場合、原稿表面の画像データ及び原稿裏面の画像データを変倍して画像データを削減すると共に、前記変倍した原稿表面の画像データの伝送後に前記変倍した原稿裏面の画像データを結合することにより、１回のタイミング信号生成によって原稿両面の画像データを伝送することを特徴とする画像伝送制御方法。
【請求項２１】
原稿を搬送しながら原稿画像を読み取る流し読み機能により原稿の両面を読み取る場合、原稿表面の画像データの伝送後に原稿裏面の画像データを結合することにより、１回のタイミング信号生成によって原稿両面の画像データを伝送する機能を、コンピュータに実現させるためのプログラム。
【請求項２２】
原稿を搬送しながら原稿画像を読み取る流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロック速度によって前記原稿両面の画像データを伝送する機能を、コンピュータに実現させるためのプログラム。
【請求項２３】
原稿を搬送しながら原稿画像を読み取る流し読み機能により原稿の両面を読み取る場合、原稿表面の画像データ及び原稿裏面の画像データを変倍して画像データを削減すると共に、前記変倍した原稿表面の画像データの伝送後に前記変倍した原稿裏面の画像データを結合することにより、１回のタイミング信号生成によって原稿両面の画像データを伝送する機能を、コンピュータに実現させるためのプログラム。
【請求項２４】
原稿を搬送しながら原稿画像を読み取る流し読み機能を備えた画像読取装置における画像伝送制御方法を実行するプログラムを記憶したコンピュータにより読み出し可能な記憶媒体であって、
前記プログラムは、前記流し読み機能により原稿の両面を読み取る場合、原稿表面の画像データの伝送後に原稿裏面の画像データを結合することにより、１回のタイミング信号生成によって原稿両面の画像データを伝送するモジュールを有することを特徴とする記憶媒体。
【請求項２５】
原稿を搬送しながら原稿画像を読み取る流し読み機能を備えた画像読取装置における画像伝送制御方法を実行するプログラムを記憶したコンピュータにより読み出し可能な記憶媒体であって、
前記プログラムは、前記流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロック速度によって前記原稿両面の画像データを伝送するモジュールを有することを特徴とする記憶媒体。
【請求項２６】
原稿を搬送しながら原稿画像を読み取る流し読み機能を備えた画像読取装置における画像伝送制御方法を実行するプログラムを記憶したコンピュータにより読み出し可能な記憶媒体であって、
前記プログラムは、前記流し読み機能により原稿の両面を読み取る場合、原稿表面の画像データ及び原稿裏面の画像データを変倍して画像データを削減すると共に、前記変倍した原稿表面の画像データの伝送後に前記変倍した原稿裏面の画像データを結合することにより、１回のタイミング信号生成によって原稿両面の画像データを伝送するモジュールを有することを特徴とする記憶媒体。
【発明の詳細な説明】
【０００１】
【発明の属する技術分野】
本発明は、表面及び裏面に画像がある両面原稿の両面を同時に読み取り可能な画像読取装置、画像形成装置、画像伝送制御方法、プログラム、及び記憶媒体に関し、特に、片面原稿或いは両面原稿から画像を読み取り、用紙上に画像形成を行うデジタル複写機等に適用する場合に好適な画像読取装置、画像形成装置、画像伝送制御方法、プログラム、及び記憶媒体に関する。
【０００２】
【従来の技術】
従来、デジタル複写機等の一般的な画像形成装置においては、両面原稿の原稿読み込みパフォーマンスの向上のために、両面原稿流し読み機能（原稿を搬送しながら原稿の両面を読み取る機能）を搭載した機種が提供されている。この種の画像形成装置は、二つの原稿読取手段を備えており、一方の原稿読取手段によって原稿の表面を読み取り、他方の原稿読取手段によって原稿の裏面を読み取るようにしている。このような両面原稿流し読み機能を搭載した両面原稿読取装置について以下説明する。
【０００３】
図１１は両面原稿読取装置の内部構造の一例を示す構成図である。図１１において、３０１はピックアップローラ、３０２は分離ローラ、３０３はレジストレーション（以後レジと略称）ローラ、３０４は搬送ローラＡ、３０５はプラテンローラ、３０６は搬送ローラＢ、３０７は排紙ローラ、３０８はレジセンサ、３０９はリードセンサ、３１０は排紙センサ、３１１は第一ミラー台、３１２は第二ミラー台、３１３はレンズ、２０１は原稿の表面読み取りセンサであるＣＣＤ、２０２は原稿の裏面読み取りセンサであるＣＩＳ（コンタクトイメージセンサ）である。
【０００４】
次に、この両面原稿読取装置の動作を説明する。先ず、原稿積載部に積載された複数枚の原稿のうち最上面の原稿をピックアップローラ３０１と分離ローラ３０２によって分離し、レジセンサ３０８に対応する位置まで原稿を搬送する。レジセンサ３０８による原稿検知により、一旦原稿を停止させ、タイミングを取る。その後、レジローラ３０３、搬送ローラＡ３０４、プラテンローラ３０５、搬送ローラＢ３０６、排紙ローラ３０７によって原稿を順次搬送する。原稿がリードセンサ３０９によって検知されると、所定時間後からＣＣＤ２０１によって原稿表面の画像が読み取られる。即ち、第一ミラー台３１１内の光源により原稿を照射し、その反射光が第一ミラー台３１１及び第二ミラー台３１２、レンズ３１３を経由してＣＣＤ２０１に入射され、ＣＣＤ２０１によって原稿表面の画像が読み取られる。
【０００５】
原稿表面の画像読み取りが開始された所定時間後に、ＣＩＳ２０２によって原稿裏面の画像が読み取られる。ＣＩＳ２０２には、光源とイメージセンサが一体化されており、光源による原稿の反射光が前記イメージセンサに入力され原稿裏面の画像が読み取られる。
【０００６】
また、図１２は上記図１１に示した両面原稿読取装置の電気的構成を示すブロック図である。図１２において、Ｕ９００はリーダ部（画像読取部）であり、Ｕ９０２はリーダ部Ｕ９００から送られる画像データのハンドリングを行う画像コントローラ部である。９１２はリーダ部Ｕ９００の制御を行うＣＰＵ、９０３、９０６はアナログプロセッサ、９０４、９０７はＡ／Ｄ変換器、９０５、９０８はシェーディング補正部、９１１、９１６、９２１、９２２はインターフェース（Ｉ／Ｆ）回路、９２３は画像コントローラ部Ｕ９０２の各ブロック（ＣＰＵ、各種メモリ、エンコーダ、デコーダ等）である。
【０００７】
ＣＣＤ２０１によって読み取られた原稿表面の画像データは、アナログプロセッサ９０３によってゲイン調整、オフセット処理が行われ、Ａ／Ｄ変換器９０４によってアナログ信号からデジタル信号に変換される。その後、Ａ／Ｄ変換器９０４から出力されたデジタル信号は、シェーディング補正部９０５によってシェーディング補正が行われた後、Ｉ／Ｆ回路９１１を介して画像コントローラ部Ｕ９０２に送られる。また、ＣＩＳ２０２によって読み取られた原稿裏面の画像データは、アナログプロセッサ９０６によってゲイン調整、オフセット処理が行われ、Ａ／Ｄ変換器９０７によってアナログ信号からデジタル信号に変換される。その後、Ａ／Ｄ変換器９０７から出力されたデジタル信号は、シェーディング補正部９０８によってシェーディング補正が行われた後、Ｉ／Ｆ回路９１６を介して画像コントローラ部Ｕ９０２に送られる。
【０００８】
また、図１３はリーダ部Ｕ９００と画像コントローラ部Ｕ９０２との間の画像データ伝送のタイミングチャートである。画像同期信号Ａ、主走査同期信号Ａ、画像クロックＡ、画像データＡは、原稿の表面の読み取り画像データの伝送に対応する各種信号及びデータである。画像同期信号Ｂ、主走査同期信号Ｂ、画像クロックＢ、画像データＢは、原稿の裏面の読み取り画像データの伝送に対応する各種信号及びデータである。原稿表面の画像データＡ、原稿裏面の画像データＢは、上記図１２に示した如くそれぞれ独立した伝送ラインによってデータ伝送されている。
【０００９】
また、原稿の両面を２つのイメージセンサで同時に読み取り、各イメージセンサから出力される原稿の両面の読取画像にそれぞれ対応した画像信号をセレクタで切り替え、時分割的に画像処理を行う両面原稿読取装置が提案されている（例えば、特許文献１参照）。
【００１０】
【特許文献１】
特開２０００−０３６８９０号公報
【００１１】
【発明が解決しようとする課題】
しかしながら、上述したような両面読み取り機能を搭載した画像形成装置では、原稿表面の読み取り画像データと原稿裏面の読み取り画像データに対応させてそれそれ独立した画像データ伝送ラインを持つため、リーダ部と画像コントローラ部の間に配設する信号線の数が膨大なものとなると共に、Ｉ／Ｆ回路も増加してしまうことで、回路構成が複雑化すると共にコストが増加してしまうという課題があった。
【００１２】
また、上記特開２０００−０３６８９０号公報記載の提案では、Ｉ／Ｆ回路の削減は可能であるが、画像処理の時間が増加することで原稿読み取りの生産性が低下してしまうという課題があった。
【００１３】
本発明の目的は、原稿の両面読み取りにおいて読み取った原稿表面の画像データ及び原稿裏面の画像データを一組の伝送ラインによって順次的に伝送することを可能とし、信号線を削減することを可能とし、原稿読み取りの生産性を向上させることを可能とした画像読取装置、画像形成装置、画像伝送制御方法、プログラム、及び記憶媒体を提供することにある。
【００１４】
【課題を解決するための手段】
上述の目的を達成するため、本発明は、原稿を搬送しながら原稿画像を読み取る流し読み機能を備えた画像読取装置であって、前記流し読み機能により原稿の両面を読み取る場合、原稿表面の画像データの伝送後に原稿裏面の画像データを結合することにより、１回のタイミング信号生成によって原稿両面の画像データを伝送する制御を行う制御手段を有することを特徴とする。
【００１５】
上述の目的を達成するため、本発明は、原稿を搬送しながら原稿画像を読み取る流し読み機能を備えた画像読取装置であって、前記流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロック速度によって前記原稿両面の画像データを伝送する制御を行う制御手段を有することを特徴とする。
【００１６】
上述の目的を達成するため、本発明は、原稿を搬送しながら原稿画像を読み取る流し読み機能を備えた画像読取装置であって、前記流し読み機能により原稿の両面を読み取る場合、原稿表面の画像データ及び原稿裏面の画像データを変倍して画像データを削減すると共に、前記変倍した原稿表面の画像データの伝送後に前記変倍した原稿裏面の画像データを結合することにより、１回のタイミング信号生成によって原稿両面の画像データを伝送する制御を行う制御手段を有することを特徴とする。
【００１７】
【発明の実施の形態】
以下、本発明の実施の形態を図面を参照して詳細に説明する。
【００１８】
［第１の実施の形態］
本発明の第１の実施の形態は、画像形成装置において、原稿を搬送しながら原稿の両面を読み取る両面原稿流し読み機能により原稿の両面を読み取る場合、原稿表面の画像データの伝送後に原稿裏面の画像データを結合することにより、１回のタイミング信号生成によって原稿両面の画像データを伝送する制御を行うものである。
【００１９】
図１は本実施の形態に係る画像形成装置の構成例を示すブロック図である。画像形成装置は、リーダ部Ｕ１００、プリンタ部Ｕ１０１、画像コントローラ部Ｕ１０２、原稿給送制御部Ｕ１０３を備えており、両面原稿流し読み機能を搭載した例えばデジタル複写機として構成されている。更に、画像コントローラ部Ｕ１０２は、リーダインターフェース１１１、リーダメモリ１１２、エンコーダ１１３、圧縮画像用メモリ１１４、デコーダ１１５、ページメモリ１１６、ＣＰＵ１１７、ＲＡＭ１１８、ＲＯＭ１１９、プリンタインターフェース１２０、画像編集用メモリ１２１を備えている。
【００２０】
上記構成を詳述すると、画像コントローラ部Ｕ１０２は、リーダインターフェース１１１を介してリーダ部Ｕ１００と接続されると共に、プリンタインターフェース１２０を介してプリンタ部Ｕ１０１と接続されている。画像コントローラ部Ｕ１０２において、リーダメモリ１１２は、リーダ部Ｕ１００により原稿から読み取った画像の圧縮前の画像データを、少なくとも２ページ分を一時的にストアするためのメモリである。この場合、１ページ分とは、例えばラージ原稿（Ａ３分サイズ）１枚分であり、スモール原稿（Ａ４サイズ）の読み込み時には、リーダメモリ１１２を分割使用することで、スモール原稿を連続で２枚分の画像読み込みを可能にしている。
【００２１】
本画像形成装置においては、原稿の両面を同時に読み込む同時両面読み込みを実現しており、同時両面読み込み時には、リーダメモリ１１２を分割使用することで、同時に読み込んだ原稿両面の画像データをリーダメモリ１１２にストアするようにしている。エンコーダ１１３は、リーダメモリ１１２にストアされた画像データを圧縮するものである。そして、読み込みが終了した方の原稿面の画像データからエンコーダ１１３が自動的に圧縮画像用メモリ１１４内に圧縮ストアすることで、圧縮画像用メモリ１１４内の画像データが原稿表面の画像データか原稿裏面の画像データかを判別することができるようになっている。
【００２２】
圧縮画像用メモリ１１４は、エンコーダ１１３により圧縮して得られた複数ページ分の画像データをストアするためのメモリである。デコーダ１１５は、圧縮画像用メモリ１１４にストアされた圧縮されている画像データを解析し（伸張し）、ページメモリ１１６上に展開するものである。ここで、リーダメモリ１１２上にある画像データに対してデジタル変倍を行う場合には、画像編集用メモリ１２１を用いて、拡大時には線形補間の処理を行うなどして画像の水増しを行い、エンコーダ１１３は、その画像データをもとに圧縮用画像メモリ１１４に圧縮してストアする。ＲＯＭ１１９は、制御プログラムがストアされたメモリである。ＣＰＵ１１７は、ＲＯＭ１１９にストアされた制御プログラムに従って、画像コントローラ部Ｕ１０２の各部を制御する。ＲＡＭ１１８は、ＣＰＵ１１７の作業領域として使用されるメモリである。
【００２３】
原稿給送制御部Ｕ１０３は、原稿搬送装置（以後ＡＤＦ（Ａｕｔｏ  Ｄｏｃｕｍｅｎｔ  Ｆｅｅｄｅｒ）と称する）の動作を制御するものであり、リーダ部Ｕ１００と通信を行うことで前記制御を行う。リーダ部Ｕ１００は、原稿から画像を読み取る画像読取部である。プリンタ部Ｕ１０１は、原稿から読み取った画像を用紙に形成する画像形成部である。
【００２４】
次に、本画像形成装置における画像データの流れについて図１を参照しながら説明する。リーダ部Ｕ１００により読み取られた原稿の画像データは、リーダインターフェース１１１を介してリーダメモリ１１２にバッファリングされ、更に、リーダメモリ１１２の画像データは、エンコーダ１１３により圧縮され、圧縮画像用メモリ１１４にストアされる。尚、圧縮画像用メモリ１１４にストアされる時に、エンコーダ１１３により圧縮されたリーダメモリ１１２上の画像データは消去される。
【００２５】
通常のコピー動作では、圧縮画像用メモリ１１４の画像データは、デコーダ１１５によって解析され、ページメモリ１１６上に展開され、プリンタ部Ｕ１０１に画像出力される。プリンタ部Ｕ１０１へ正常に画像出力が行われた場合は、圧縮画像用メモリ１１４の画像データは消去される。
【００２６】
次に、本画像形成装置の画像読取部（リーダ部Ｕ１００）における両面原稿読み取り動作について説明する。
【００２７】
図２は画像形成装置のリーダ部Ｕ１００及び画像コントローラ部Ｕ１０２の構成を示すブロック図である。リーダ部Ｕ１００は、ＣＣＤ２０１、ＣＩＳ２０２、アナログプロセッサ２０３、アナログプロセッサ２０６、Ａ／Ｄ変換器２０４、Ａ／Ｄ変換器２０７、シェーディング補正部２０５、シェーディング補正部２０８、伝送タイミング制御部２０９、Ｉ／Ｆ回路２１１、ＣＰＵ２１２を備えている。また、画像コントローラ部Ｕ１０２は、Ｉ／Ｆ回路１１１（図１のリーダインターフェース１１１）、画像処理部１１２〜１２１（図１のリーダメモリ１１２〜画像編集用メモリ１２１）を備えている。
【００２８】
上記構成を詳述すると、リーダ部Ｕ１０１は、原稿から画像を読み取り下記のような処理を行う。ＣＰＵ２１２は、リーダ部Ｕ１００の各部の制御を行うものであり、プログラムに基づき図８のフローチャートに示す処理を実行する。ＣＣＤ２０１は、原稿表面の画像データを読み取る。ＣＩＳ２０２は、原稿裏面の画像データを読み取る。アナログプロセッサ２０３、２０６は、それぞれ、ＣＣＤ２０１で読み取られた原稿表面の画像データ、ＣＩＳ２０２で読み取られた原稿裏面の画像データに対しゲイン調整、オフセット処理を行う。Ａ／Ｄ変換器２０４、２０７は、それぞれ、アナログプロセッサ２０３、２０６から出力されるアナログ信号をデジタル信号に変換する。シェーディング補正部２０５、２０８は、それぞれ、Ａ／Ｄ変換器２０４、２０７から出力されるデジタル信号に対しシェーディング補正を行う。
【００２９】
伝送タイミング制御部２０９は、シェーディング補正部２０５及び２０８から出力される画像データのハンドリングを行う。即ち、伝送タイミング制御部２０９は、原稿表面の画像データの先頭を示す画像同期信号を生成すると共に（図３（ａ）、図５（ａ）、図７（ａ）参照）、ＣＣＤ２０１で読み取られた原稿表面の画像データ（シェーディング補正部２０５から出力される画像データ）と、ＣＩＳ２０２で読み取られた原稿裏面の画像データ（シェーディング補正部２０８から出力される画像データ）を選択的に出力する制御を行う。伝送タイミング制御部２０９内の画像バッファ２１０は、原稿表面の画像データの伝送が終了するまで原稿裏面の画像データを一時保管する。Ｉ／Ｆ回路２１１は、リーダ部Ｕ１００と画像コントローラ部Ｕ１０２との間の画像データ伝送のインターフェースを司る。
【００３０】
画像コントローラ部Ｕ１０２は、リーダ部Ｕ１００から送られる画像データのハンドリングを行う。Ｉ／Ｆ回路１１１（図１のリーダインターフェース１１１）は、画像コントローラ部Ｕ１０２とリーダ部Ｕ１００との間の画像データ伝送のインターフェースを司る。画像処理部１１２〜１２１（図１のリーダメモリ１１２〜画像編集用メモリ１２１）は、リーダ部Ｕ１００から送られる画像データに対し上記図１で詳述したようなそれぞれの処理を行う。
【００３１】
図３は画像形成装置のリーダ部Ｕ１００と画像コントローラＵ１０２との間の画像データ伝送のタイミングチャートである。画像同期信号、主走査同期信号、画像同期クロックによって、原稿の表面及び裏面の読み取り画像データの伝送を行う。図３（ａ）において、画像同期信号における矢印で示す区間は、原稿の片面読み取り時の画像同期信号区間の２倍に相当する区間である。画像同期信号は、原稿の表面画像データ及び裏面画像データ一組で１回出力され、図３（ａ）のタイミングによって原稿の表面画像データに裏面画像データを結合して伝送する。
【００３２】
また、図３（ｂ）において、画像同期信号区間、及び、主走査同期信号における矢印で示す区間は、原稿の片面読み取り時の画像同期信号区間、及び、主走査同期信号区間の２倍に相当する区間である。画像同期信号は原稿１毎に対して１回出力され、主走査同期信号は１ライン毎の表面画像データ及び裏面画像データ一組ごとに１回出力される。本実施の形態においては、図３（ａ）のタイミングのデータ伝送の場合について説明していく。
【００３３】
次に、本画像形成装置における両面原稿読み取り時の画像データの流れについて図８の概略フローチャートを参照しながら説明する。
【００３４】
画像形成装置の操作部（図示略）から両面原稿の読み取りが設定された場合、ＡＤＦによって原稿の搬送が行われ、原稿の表面読み取り位置でリーダ部Ｕ１００のＣＣＤ２０１によって原稿の表面の画像データが読み取られる（ステップＳ１）。ＣＣＤ２０１によって読み取られた表面画像データは、アナログプロセッサ２０３によってゲイン調整、オフセット処理が行われ、Ａ／Ｄ変換器２０４によってアナログ信号からデジタル信号に変換される。その後、Ａ／Ｄ変換器２０４から出力されたデジタル信号は、シェーディング補正部２０５によってシェーディング補正が行われた後、伝送タイミング制御部２０９に入力される。
【００３５】
また、原稿表面の画像読み取りが開始されてから所定の時間が経過した後、原稿の裏面読み取り位置でリーダ部Ｕ１００のＣＩＳ２０２によって原稿の裏面の画像データが読み取られる（ステップＳ２）。ＣＩＳ２０２によって読み取られた裏面画像データは、アナログプロセッサ２０６によってゲイン調整、オフセット処理が行われ、Ａ／Ｄ変換器２０７によってアナログ信号からデジタル信号に変換される。その後、Ａ／Ｄ変換器２０７から出力されたデジタル信号は、シェーディング補正部２０８によってシェーディング補正が行われた後、伝送タイミング制御部２０９に入力される。
【００３６】
伝送タイミング制御部２０９ではリードセンサ３０９（図１１参照）からの信号を基準にして画像同期信号を生成すると共に、画像同期信号に同期して表面画像データ及び裏面画像データを選択して出力する。本実施の形態では、画像同期信号を表面画像データ及び裏面画像データ一組で１回出力する（ステップＳ３）。画像同期信号の間隔は、片面原稿読み取り時の２倍の時間間隔となる。表面画像データは画像同期信号に同期して出力され、裏面画像データは伝送タイミング制御部２０９内の画像バッファ２１０に一時格納され、表面画像データが出力された後に所定の主走査同期信号分遅延して、表面画像データの後に裏面画像データがつなぎ合わされて出力される（ステップＳ４）。
【００３７】
画像データの長さは、リーダ部Ｕ１００のＣＰＵ２１２と画像コントローラ部Ｕ１０２のＣＰＵ１１７との通信によって、予め画像コントローラ部Ｕ１０２に通知される。画像コントローラ部Ｕ１０２では、リーダ部Ｕ１００から通知された画像データ長に応じて、伝送された表面画像データと裏面画像データを分割し（ステップＳ５）、以後、各々の表裏ごとのページ単位として取り扱う。
【００３８】
尚、本実施の形態では、リーダ部Ｕ１００のＣＰＵ２１２は、両面原稿読み取り時には、現在伝送中の画像データの伝送終了を待って次の原稿の読み取りを開始するようにＡＤＦの制御を行う。つまり、原稿ごとの搬送の時間間隔を片面原稿読み取り時より空ける制御を行う。また、両面原稿ではなく片面原稿の読み取りが設定された場合には、原稿の搬送の時間間隔を空けることなく原稿の読み取り及び画像データの伝送が行われる。
【００３９】
以上説明したように、本実施の形態によれば、画像形成装置において、両面原稿流し読み機能により原稿の両面を読み取る場合、原稿表面の画像データの伝送後に原稿裏面の画像データを結合することにより、１回のタイミング信号生成によって原稿両面の画像データを伝送する制御を行うので、原稿の両面読み取りにおいて読み取った原稿表面の画像データ及び原稿裏面の画像データを一組の伝送ラインによって順次的に伝送することが可能となり、信号線を削減することが可能となる。
【００４０】
［第２の実施の形態］
本発明の第２の実施の形態は、画像形成装置において、両面原稿流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロック速度によって原稿両面の画像データを伝送する制御を行うものである。
【００４１】
次に、本実施の形態における画像形成装置の画像読取部（リーダ部）の両面原稿読み取り動作について説明する。尚、本実施の形態では、第１の実施の形態と重複する説明は省略し、本実施の形態特有の構成及び動作について説明を行う。本実施の形態では、原稿の片面読み取り時の画像データ伝送のための第１の伝送クロック速度と、原稿の両面読み取り時の画像データ伝送のための第２の伝送クロック速度を設け、原稿の両面読み取り時には第２の伝送クロック速度の伝送クロックで画像データを伝送する。これによって、原稿の両面読み取り時においても原稿ごとの搬送の時間間隔を空ける必要が無く、原稿読み取りの生産性を向上させることを実現するものである。
【００４２】
図４は本実施の形態に係る画像形成装置のリーダ部Ｕ１００及び画像コントローラ部Ｕ１０２の構成を示すブロック図である。リーダ部Ｕ１００は、ＣＣＤ２０１、ＣＩＳ２０２、アナログプロセッサ２０３、アナログプロセッサ２０６、Ａ／Ｄ変換器２０４、Ａ／Ｄ変換器２０７、シェーディング補正部２０５、シェーディング補正部２０８、伝送タイミング制御部２０９、Ｉ／Ｆ回路２１１、ＣＰＵ２１２、クロック発生部２１３（第１の伝送クロック速度）、クロック発生部２１４（第２の伝送クロック速度）を備えている。また、画像コントローラ部Ｕ１０２は、Ｉ／Ｆ回路１１１（図１のリーダインターフェース１１１）、画像処理部１１２〜１２１（図１のリーダメモリ１１２〜画像編集用メモリ１２１）を備えている。
【００４３】
本実施の形態の特徴的な構成を説明すると、ＣＰＵ２１２は、リーダ部Ｕ１００の各部の制御を行うものであり、プログラムに基づき図９のフローチャートに示す処理を実行する。伝送タイミング制御部２０９は、画像バッファ２１０、２１５を備えている。画像バッファ２１０、２１５は、画像データの伝送速度の変換を行うため及び画像データを一時保管するためのバッファである。この場合、原稿の表面画像データは画像バッファ２１５に一時格納され、原稿の裏面画像データは画像バッファ２１０に一時格納される。クロック発生部２１３は、原稿の片面読み取り時の画像データ伝送のための伝送クロックを発生する。クロック発生部２１４は、原稿の両面読み取り時の画像データ伝送のための伝送クロックを発生する。片面原稿分の画像データ伝送時間で両面原稿分の画像データを伝送させるために、両面読み取り時の伝送クロックは、片面読み取り時の伝送クロックの２倍以上の周波数である。
【００４４】
ＣＰＵ２１２によって、原稿の片面読み取り時にはクロック発生部２１３から発生する伝送クロックが選択され、原稿の両面読み取り時にはクロック発生部２１４から発生する伝送クロックが選択され、各々の伝送クロックによって画像データを伝送する。これ以外の構成は第１の実施の形態と同様であり説明を省略する。
【００４５】
図５は画像形成装置のリーダ部Ｕ１００と画像コントローラＵ１０２との間の画像データ伝送のタイミングチャートである。画像同期信号、主走査同期信号、画像同期クロックによって、原稿の表面及び裏面の読み取り画像データの伝送を行う。図５（ａ）において、両面原稿読み取り時には両面画像データ伝送用のクロックが選択されるため、主走査同期信号、画像同期クロック、画像データは、片面原稿読み取り時の２倍の周波数となる。画像同期信号における矢印で示す区間は、原稿の片面読み取り時の画像同期信号と同じであるため、主走査同期信号、画像同期クロック、画像データの数としては片面原稿読み取り時の２倍となる。画像同期信号は、原稿の表面画像データ及び裏面画像データ一組で１回出力され、図５（ａ）のタイミングによって原稿の表面画像データに裏面画像データを結合して伝送する。
【００４６】
また、図５（ｂ）において、画像同期信号区間、及び、主走査同期信号における矢印で示す区間は、原稿の片面読み取り時の画像同期信号区間、及び、主走査同期信号と同じ区間である。両面画像データ伝送用のクロックが選択されるため、画像同期クロック、画像データは、片面原稿読み取り時の２倍の周波数となる。画像同期信号は原稿１毎に対して１回出力され、主走査同期信号は１ライン毎の表面画像データ及び裏面画像データ一組ごとに１回出力される。本実施の形態においては、図５（ａ）のタイミングのデータ伝送の場合について説明していく。
【００４７】
次に、本画像形成装置における両面原稿読み取り時の画像データの流れについて図９の概略フローチャートを参照しながら説明する。
【００４８】
画像形成装置の操作部（図示略）から両面原稿の読み取りが指定された場合、リーダ部Ｕ１００のＣＰＵ２１２は両面原稿読み取り用のクロック発生部２１４の伝送クロックを選択する。ＡＤＦによって原稿の搬送が行われ、原稿の表面読み取り位置でＣＣＤ２０１によって原稿の表面の画像データが読み取られる（ステップＳ１１）。ＣＣＤ２０１によって読み取られた表面画像データは、アナログプロセッサ２０３によってゲイン調整、オフセット処理が行われ、Ａ／Ｄ変換器２０４によってアナログ信号からデジタル信号に変換される。その後、Ａ／Ｄ変換器２０４から出力されたデジタル信号は、シェーディング補正部２０５によってシェーディング補正が行われた後、伝送タイミング制御部２０９に入力される。
【００４９】
また、原稿表面の画像読み取りが開始されてから所定の時間が経過した後、原稿の裏面読み取り位置でリーダ部Ｕ１００のＣＩＳ２０２によって原稿の裏面の画像データが読み取られる（ステップＳ１２）。ＣＩＳ２０２によって読み取られた表面画像データは、アナログプロセッサ２０６によってゲイン調整、オフセット処理が行われ、Ａ／Ｄ変換器２０７によってアナログ信号からデジタル信号に変換される。その後、Ａ／Ｄ変換器２０７から出力されたデジタル信号は、シェーディング補正部２０８によってシェーディング補正が行われた後、伝送タイミング制御部２０９に入力される。
【００５０】
伝送タイミング制御部２０９ではリードセンサ３０９からの信号を基準にして画像同期信号を生成すると共に、画像同期信号に同期して表面画像データ及び裏面画像データを選択して出力する。本実施の形態では、画像同期信号を表面画像データ及び裏面画像データ一組で１回出力する（ステップＳ１３）。表面画像データは、伝送タイミング制御部２０９内の画像バッファ２１５に一時格納され、画像同期信号に同期してクロック発生部２１４の伝送クロックの周波数で読み出（出力）される。裏面画像データは、伝送タイミング制御部２０９内の画像バッファ２１０に一時格納され、表面画像データが出力された後に、裏面画像データ用の画像同期信号に同期してクロック発生部２１４の伝送クロックの周波数で読み出（出力）される（ステップＳ１４）。
【００５１】
リーダ部Ｕ１００の伝送タイミング制御部２０９から出力された画像データは、リーダ部Ｕ１００のＩ／Ｆ回路２１１及び画像コントローラ部Ｕ１０２のＩ／Ｆ回路１１１を介して画像コントローラ部Ｕ１０２に伝送される。画像コントローラ部Ｕ１０２は、リーダ部Ｕ１００から伝送された画像データのハンドリングを行う。伝送クロック速度は、リーダ部Ｕ１００のＣＰＵ２１２と画像コントローラ部Ｕ１０２のＣＰＵ１１７との通信によって、予め画像コントローラ部Ｕ１０２に通知される。画像コントローラ部Ｕ１０２では、リーダ部Ｕ１００から通知された伝送クロック速度に応じて、伝送された表面画像データと裏面画像データを分割し（ステップＳ１５）、以後、各々の表裏ごとのページ単位として取り扱う。
【００５２】
尚、本実施の形態では、伝送クロック１を発生するクロック発生部２１３と伝送クロック２を発生するクロック発生部２１４を別々に設けたが、一つの伝送クロック（伝送クロック１）を用いてＰＬＬ（Ｐｈａｓｅ  Ｌｏｃｋ  Ｌｏｏｐ）回路などにより逓倍することで伝送クロック２を生成し片面読み取りか両面読み取りかによって、伝送クロック１または伝送クロック２を選択して用いてもよい。
【００５３】
以上説明したように、本実施の形態によれば、画像形成装置において、両面原稿流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロックによって原稿両面の画像データを伝送する制御を行うので、原稿の両面読み取りにおいて読み取った原稿表面の画像データ及び原稿裏面の画像データを一組の伝送ラインによって順次的に伝送することが可能となり、信号線を削減することが可能となると共に、原稿の両面読み取り時においても原稿の搬送の時間間隔を空ける必要が無く、原稿読み取りの生産性を向上させることが可能となる。
【００５４】
［第３の実施の形態］
本発明の第３の実施の形態は、画像形成装置において、両面原稿流し読み機能により原稿の両面を読み取る場合、原稿表面の画像データ及び原稿裏面の画像データを変倍して画像データを削減すると共に、前記変倍した原稿表面の画像データの伝送後に前記変倍した原稿裏面の画像データを結合することにより、１回のタイミング信号生成によって原稿両面の画像データを伝送する制御を行うものである。
【００５５】
次に、本実施の形態における画像形成装置の画像読取部（リーダ部）の両面原稿読み取り動作について説明する。尚、本実施の形態では、第１及び第２の実施の形態と重複する説明は省略し、本実施の形態特有の構成及び動作について説明を行う。本実施の形態では、画像データを変倍して削減するための変倍手段を設け、原稿の両面読み取り時には画像データを削減して伝送する。
【００５６】
ここで言う変倍処理とは、主走査方向の画像データを１画素ごとに間引く、または、副走査方向の画像データを１ラインごとに間引く、または、主走査方向の画像データに対して２画素分の画像データを加算平均によって１画素の画像データに変換する、または、副走査方向の画像データに対して２ライン分の画像データを加算平均によって１ラインの画像データに変換する制御であり、画像データを削減する処理とする。本実施の形態では、副走査方向の画像データに対して２ライン分の画像データを加算平均によって１ラインの画像データに変換する方式を用いて説明する。
【００５７】
これによって、原稿の両面読み取り時においても原稿ごとの搬送の時間間隔を空ける必要を無くし、原稿読み取りの生産性を向上させることを実現するものである。
【００５８】
図６は本実施の形態に係る画像形成装置のリーダ部Ｕ１００及び画像コントローラ部Ｕ１０２の構成を示すブロック図である。リーダ部Ｕ１００は、ＣＣＤ２０１、ＣＩＳ２０２、アナログプロセッサ２０３、アナログプロセッサ２０６、Ａ／Ｄ変換器２０４、Ａ／Ｄ変換器２０７、シェーディング補正部２０５、シェーディング補正部２０８、伝送タイミング制御部２０９、Ｉ／Ｆ回路２１１、ＣＰＵ２１２を備えている。また、画像コントローラ部Ｕ１０２は、Ｉ／Ｆ回路１１１（図１のリーダインターフェース１１１）、画像処理部１１２〜１２１（図１のリーダメモリ１１２〜画像編集用メモリ１２１）を備えている。
【００５９】
本実施の形態の特徴的な構成を説明すると、ＣＰＵ２１２は、リーダ部Ｕ１００の各部の制御を行うものであり、プログラムに基づき図１０のフローチャートに示す処理を実行する。伝送タイミング制御部２０９は、画像バッファ２１０、２１５を備えている。画像バッファ２１０、２１５は、画像データを一時保管するため及び読み出し時に画像を間引くためのバッファである。この場合、原稿の表面画像データは画像バッファ２１５に一時格納され、原稿の裏面画像データは画像バッファ２１０に一時格納される。
【００６０】
画像バッファ２１０、２１５からの画像データの読み出しについて、ＣＰＵ２１２は原稿の片面読み取り時には画像バッファ２１０または２１５に保管された画像データを全て読み出し、原稿の両面読み取り時には画像バッファ２１０及び２１５に保管された画像データに対し、主走査方向の画像データに対して２画素分の画像データを加算平均によって１画素の画像データに変換して読み出すように設定を行う。本実施の形態において、画像データの読み取り解像度を片面原稿読み取り時は主走査方向６００ｄｐｉ、副走査方向６００ｄｐｉとすると、両面原稿読み取り時には主走査方向３００ｄｐｉ相当に変倍され、副走査方向６００ｄｐｉとして画像データを出力することになる。これ以外の構成は第１の実施の形態と同様であり説明を省略する。
【００６１】
図７は画像形成装置のリーダ部Ｕ１００と画像コントローラ部Ｕ１０２との間の画像データ伝送のタイミングチャートである。画像同期信号、主走査同期信号、画像同期クロックによって、原稿の表面及び裏面の読み取り画像データの伝送を行う。図７（ａ）において、画像同期信号における矢印で示す区間は、原稿の片面読み取り時の画像同期信号と同じ区間であり、主走査同期信号と画像同期クロックも片面読み取り時と同じである。画像同期信号は、原稿の表面画像データ及び裏面画像データ一組で１回出力され、図７（ａ）のタイミングによって原稿の表面画像データに裏面画像データを結合して伝送する。画像データは、表面画像データ及び裏面画像データを主走査方向２画素分の画像データを加算平均によって１画素の画像データに変換して削減し、一つの画像同期信号に対して、表面画像データを伝送した後に裏面画像データを結合して出力される。
【００６２】
また、図７（ｂ）において、画像同期信号区間、及び、主走査同期信号における矢印で示す区間は、原稿の片面読み取り時の画像同期信号区間、及び、主走査同期信号区間と同じである。画像同期信号は原稿１毎に対して１回出力され、主走査同期信号は１ライン毎の表面画像データ及び裏面画像データ一組ごとに１回出力される。画像データは、表面画像データ及び裏面画像データを主走査方向２画素分の画像データを加算平均によって１画素の画像データに変換して削減し、一つの主走査同期信号に対して、表面画像データを伝送した後に裏面画像データを結合して出力される。図７（ｂ）のタイミングによって原稿の表面画像データに裏面画像データを結合して伝送する。本実施の形態においては、図７（ａ）のタイミングのデータ伝送の場合について説明していく。
【００６３】
次に、本画像形成装置における両面原稿読み取り時の画像データの流れについて図１０の概略フローチャートを参照しながら説明する。
【００６４】
画像形成装置の操作部（図示略）から両面原稿の読み取りが指定された場合、リーダ部Ｕ１００のＣＰＵ２１２は伝送タイミング制御部２０９の画像バッファ２１０、２１５からの読み出し画像データを間引いて出力するように設定する。ＡＤＦによって原稿の搬送が行われ、原稿の表面読み取り位置でＣＣＤ２０１によって原稿の表面の画像データが読み取られる（ステップＳ２１）。ＣＣＤ２０１によって読み取られた表面画像データは、アナログプロセッサ２０３によってゲイン調整、オフセット処理が行われ、Ａ／Ｄ変換器２０４によってアナログ信号からデジタル信号に変換される。その後、Ａ／Ｄ変換器２０４から出力されたデジタル信号は、シェーディング補正部２０５によってシェーディング補正が行われた後、伝送タイミング制御部２０９に入力される。
【００６５】
また、原稿表面の画像読み取りが開始されてから所定の時間が経過した後、原稿の裏面読み取り位置でリーダ部Ｕ１００のＣＩＳ２０２によって原稿の裏面の画像データが読み取られる（ステップＳ２２）。ＣＩＳ２０２によって読み取られた表面画像データは、アナログプロセッサ２０６によってゲイン調整、オフセット処理が行われ、Ａ／Ｄ変換器２０７によってアナログ信号からデジタル信号に変換される。その後、Ａ／Ｄ変換器２０７から出力されたデジタル信号は、シェーディング補正部２０８によってシェーディング補正が行われた後、伝送タイミング制御部２０９に入力される。
【００６６】
伝送タイミング制御部２０９ではリードセンサ３０９からの信号を基準にして画像同期信号を生成すると共に、画像同期信号に同期して表面画像データ及び裏面画像データを選択して出力する。本実施の形態では、画像同期信号を表面画像データ及び裏面画像データ一組で１回出力する（ステップＳ２３）。表面画像データは画像バッファ２１５に一時格納され、主走査方向２画素分の画像データを加算平均によって１画素の画像データに変換されて出力される。裏面画像データは画像バッファ２１０に一時格納され、表面画像データが出力された後に、主走査方向２画素分の画像データを加算平均によって１画素の画像データに変換して出力される（ステップＳ２４）。
【００６７】
変倍処理については、リーダ部Ｕ１００のＣＰＵ２１２と画像コントローラ部Ｕ１０２のＣＰＵ１１７との通信によって、予め画像コントローラ部Ｕ１０２に通知される。画像コントローラ部Ｕ１０２では、リーダ部Ｕ１００から通知された変倍処理に応じて、伝送された表面画像データと裏面画像データを切り分けると共に、主走査方向に元の倍率相当の画像データに戻し（ステップＳ２５）、以後、各々の表裏ごとのページ単位として取り扱う。
【００６８】
尚、本実施の形態では、両面原稿読み取り時には画像データの主走査方向の解像度を６００ｄｐｉから３００ｄｐｉに変倍して画像データを削減する構成について説明したが、これに限定されるものではない。表裏の画像同期信号毎に結合する場合は、副走査方向に変倍しても良く、その際には、これまでに説明した画像メモリを使用した変倍の方式（デジタル変倍）ではなく、原稿の搬送速度を変更する変倍の方式（スキャン変倍）を用いても良い。この場合は、原稿の搬送速度によって変倍が行われるために、変倍手段は不要となる。また、原稿の片面読み取り時は、画像データを画像バッファに一時格納せずに画像バッファをスルーしてもよい。
【００６９】
以上説明したように、本実施の形態によれば、画像形成装置において、流し読み機能により原稿の両面を読み取る場合、原稿表面の画像データ及び原稿裏面の画像データを変倍して画像データを削減すると共に、前記変倍された原稿表面の画像データの伝送後に前記変倍された原稿裏面の画像データを結合することにより、１回のタイミング信号生成によって原稿両面の画像データを伝送する制御を行うので、原稿の両面読み取りにおいて読み取った原稿表面の画像データ及び原稿裏面の画像データを一組の伝送ラインによって順次的に伝送することが可能となり、信号線を削減することが可能となると共に、原稿の両面読み取り時においても原稿の搬送の時間間隔を空ける必要が無く、原稿読み取りの生産性を向上させることが可能となる。
【００７０】
［他の実施の形態］
上記実施の形態では、本発明の画像読取装置を搭載した画像形成装置（複写機）を例に挙げたが、本発明はこれに限定されるものではなく、画像読取装置を搭載した画像形成装置（複合機）や画像読取装置単体にも適用することが可能である。
【００７１】
上記実施の形態では、画像形成装置の画像形成方式は特定の画像形成方式に限定されるものではなく、電子写真方式やインクジェット方式など任意の画像形成方式に適用することが可能である。
【００７２】
また、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００７３】
この場合、記憶媒体から読み出されたプログラムコード自体が前述した実施の形態の機能を実現することになり、そのプログラムコードを記憶した記憶媒体は本発明を構成することになる。
【００７４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００７５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００７７】
【発明の効果】
以上詳細に説明したように、本発明によれば、流し読み機能により原稿の両面を読み取る場合、原稿表面の画像データの伝送後に原稿裏面の画像データを結合することにより、１回のタイミング信号生成によって原稿両面の画像データを伝送するので、原稿の両面読み取りにおいて読み取った原稿表面の画像データ及び原稿裏面の画像データを一組の伝送ラインによって順次的に伝送することが可能となり、信号線を削減することが可能となる。
【００７８】
また、本発明によれば、流し読み機能により原稿の両面を読み取る場合、原稿表面の画像データの伝送後に原稿裏面の画像データを結合することにより、１回のタイミング信号生成によって原稿両面の画像データを伝送し、且つ、両面原稿読み取り時のデータ伝送を行うための伝送クロック速度によって原稿両面の画像データを伝送するので、原稿の両面読み取りにおいて読み取った原稿表面の画像データ及び原稿裏面の画像データを一組の伝送ラインによって順次的に伝送することが可能となり、信号線を削減することが可能となると共に、原稿の両面読み取り時においても原稿の搬送の時間間隔を空ける必要が無く、原稿読み取りの生産性を向上させることが可能となる。
【００７９】
また、本発明によれば、流し読み機能により原稿の両面を読み取る場合、原稿表面の画像データ及び原稿裏面の画像データを変倍して画像データを削減すると共に、前記変倍した原稿表面の画像データの伝送後に前記変倍した原稿裏面の画像データを結合することにより、１回のタイミング信号生成によって原稿両面の画像データを伝送するので、上記と同様に、信号線を削減することが可能となると共に、原稿読み取りの生産性を向上させることが可能となる。
【図面の簡単な説明】
【図１】本発明の第１の実施の形態に係る画像形成装置の構成例を示すブロック図である。
【図２】図１の画像形成装置のリーダ部及び画像コントローラ部の構成例を示すブロック図である。
【図３】図２のリーダ部と画像コントローラ部との間の画像データ伝送のタイミングチャートであり、（ａ）は画像同期信号毎にデータを結合する場合、（ｂ）は主走査同期信号毎にデータを結合する場合である。
【図４】本発明の第２の実施の形態に係る画像形成装置のリーダ部及び画像コントローラ部の構成例を示すブロック図である。
【図５】図４のリーダ部と画像コントローラ部との間の画像データ伝送のタイミングチャートであり、（ａ）は画像同期信号毎にデータを結合する場合、（ｂ）は主走査同期信号毎にデータを結合する場合である。
【図６】本発明の第３の実施の形態に係る画像形成装置のリーダ部及び画像コントローラ部の構成例を示すブロック図である。
【図７】図６のリーダ部と画像コントローラ部との間の画像データ伝送のタイミングチャートであり、（ａ）は画像同期信号毎にデータを結合する場合、（ｂ）は主走査同期信号毎にデータを結合する場合である。
【図８】図２の構成における両面原稿読取処理を示すフローチャートである。
【図９】図４の構成における両面原稿読取処理を示すフローチャートである。
【図１０】図６の構成における両面原稿読取処理を示すフローチャートである。
【図１１】従来例に係る原稿読取装置（リーダ部）の内部構造を示す構成図である。
【図１２】図１１のリーダ部及び画像コントローラ部の構成例を示すブロック図である。
【図１３】図１２のリーダ部と画像コントローラ部との間の画像データ伝送のタイミングチャートである。
【符号の説明】
Ｕ１００  リーダ部
Ｕ１０１  プリンタ部
Ｕ１０２  画像コントローラ部
Ｕ１０３  原稿給送制御部
２０１        ＣＣＤ（第１の原稿読取手段）
２０２        ＣＩＳ（第２の原稿読取手段）
２０９        伝送タイミング制御部（制御手段、タイミング制御手段）
２１０        画像バッファ（画像保管手段、第１の画像保管手段）
２１１        Ｉ／Ｆ回路
２１２        ＣＰＵ（制御手段、クロック切替手段）
２１３        クロック発生部
２１４        クロック発生部
２１５        画像バッファ（第２の画像保管手段）
【図１】
2004357032.tif 000003
【図２】
2004357032.tif 000004
【図３】
2004357032.tif 000005
【図４】
2004357032.tif 000006
【図５】
2004357032.tif 000007
【図６】
2004357032.tif 000008
【図７】
2004357032.tif 000009
【図８】
2004357032.tif 000010
【図９】
2004357032.tif 000011
【図１０】
2004357032.tif 000012
【図１１】
2004357032.tif 000013
【図１２】
2004357032.tif 000014
【図１３】
2004357032.tif 000015